(57)【要約】【課題】  スタティックな経路設定によりＬＳＰを構成する方法において、ネクストホップのＭＡＣアドレスを自動解決する機能の実現による保守作業の軽減を図ることが可能なＭＰＬＳ装置を提供する。【解決手段】  ＭＰＬＳ装置（１）は、ＭＰＬＳ網においてスタティックなＬＳＰを設定可能であり、ＩＰアドレスとＭＡＣアドレスとがエントリとして登録されるＡＲＰテーブル（１５）と、自装置のＩＰアドレスとネクストホップのＩＰアドレスとが設定された時を契機にＡＲＰテーブルを参照してネクストホップのＩＰアドレスに対応するエントリの有無を検出し、ネクストホップのＩＰアドレスに対応するエントリがない場合にＡＲＰパケットを送信してネクストホップのＭＡＣアドレスを取得し、ＡＲＰテーブルにエントリが登録された場合に当該エントリの更新を定期的に行うＡＲＰ自動解決処理部１３を有する。【選択図】      図１
2011082772.tif 000002
【特許請求の範囲】
【請求項１】
ＭＰＬＳ（Ｍｕｌｔｉ  Ｐｒｏｔｏｃｏｌ  Ｌａｂｅｌ  Ｓｗｉｔｃｈｉｎｇ）網においてスタティックなＬＳＰ（Ｌａｂｅｌ  Ｓｗｉｔｃｈｅｄ  Ｐａｔｈ）を設定可能なＭＰＬＳ装置であって、
ＩＰ（Ｉｎｔｅｒｎｅｔ  Ｐｒｏｔｏｃｏｌ）アドレスとＭＡＣ（Ｍｅｄｉａ  Ａｃｃｅｓｓ  Ｃｏｎｔｒｏｌ）アドレスとがエントリとして登録されるＡＲＰ（Ａｄｄｒｅｓｓ  Ｒｅｓｏｌｕｔｉｏｎ  Ｐｒｏｔｏｃｏｌ）テーブルと、
自装置のＩＰアドレスとネクストホップのＩＰアドレスとが設定された時を契機に前記ＡＲＰテーブルを参照してネクストホップのＩＰアドレスに対応するエントリの有無を検出する検出手段と、
前記ネクストホップのＩＰアドレスに対応するエントリがない場合にＡＲＰパケットを送信してネクストホップのＭＡＣアドレスを取得する取得手段と、
前記ＡＲＰテーブルにエントリが登録された場合に当該エントリの更新を定期的に行う更新手段とを有することを特徴とするＭＰＬＳ装置。
【請求項２】
前記ＭＰＬＳ網は、エッジ側に位置するルータであるＬＥＲ（Ｌａｂｅｌ  Ｅｄｇｅ  Ｒｏｕｔｅｒ）と網内側に位置するルータであるＬＳＲ（Ｌａｂｅｌ  Ｓｗｉｔｃｈ  Ｒｏｕｔｅｒ）とから構成され、
前記検出手段と前記取得手段と前記更新手段とを用いて、ＩＰ通信が発生しないスタティックなＬＳＰを設定する場合においてネクストホップのＭＡＣアドレスを自動で解決し、前記ＭＰＬＳ網の入口ルータから出口ルータまでの経路を確立することを特徴とする請求項１記載のＭＰＬＳ装置。
【請求項３】
前記ＬＥＲに対して前記ネクストホップのＩＰアドレスとラベルとＦＥＣ（Ｆｏｒｗａｒｄｉｎｇ  Ｅｑｕｉｖａｌｅｎｃｅ  Ｃｌａｓｓ）とからなるＦＴＮ（ＦＥＣ  ｔｏ  Ｎｅｘｔ−Ｈｏｐ）エントリを追加するためのコマンドを投入し、前記ＬＳＲに対して前記ネクストホップのＩＰアドレスと前記ラベルとからなるＩＬＭ（Ｉｎｃｏｍｉｎｇ  Ｌａｂｅｌ  Ｍａｐ）エントリを追加するためのコマンドを投入して前記ＬＳＰを設定することを特徴とする請求項２記載のＭＰＬＳ装置。
【請求項４】
前記ＦＴＮエントリの削除コマンド及びＩＬＭエントリの削除コマンドを投入して前記ネクストホップのＩＰアドレスが削除された時を契機に前記ＡＲＰテーブルから該当するエントリを削除することを特徴とする請求項２または請求項３記載のＭＰＬＳ装置。
【請求項５】
請求項１から請求項４のいずれかに記載のＭＰＬＳ装置を含むことを特徴とするＭＰＬＳ網。
【請求項６】
ＭＰＬＳ（Ｍｕｌｔｉ  Ｐｒｏｔｏｃｏｌ  Ｌａｂｅｌ  Ｓｗｉｔｃｈｉｎｇ）網においてスタティックなＬＳＰ（Ｌａｂｅｌ  Ｓｗｉｔｃｈｅｄ  Ｐａｔｈ）を設定可能なＭＰＬＳ装置に用いるＡＲＰ（Ａｄｄｒｅｓｓ  Ｒｅｓｏｌｕｔｉｏｎ  Ｐｒｏｔｏｃｏｌ）自動解決方法であって、
前記ＭＰＬＳ装置に、ＩＰ（Ｉｎｔｅｒｎｅｔ  Ｐｒｏｔｏｃｏｌ）アドレスとＭＡＣ（Ｍｅｄｉａ  Ａｃｃｅｓｓ  Ｃｏｎｔｒｏｌ）アドレスとがエントリとして登録されるＡＲＰテーブルを設け、
前記ＭＰＬＳ装置のＩＰアドレスとネクストホップのＩＰアドレスとが設定された時を契機に前記ＡＲＰテーブルを参照してネクストホップのＩＰアドレスに対応するエントリの有無を検出する第１のステップと、
前記ネクストホップのＩＰアドレスに対応するエントリがない場合にＡＲＰパケットを送信してネクストホップのＭＡＣアドレスを取得する第２のステップと、
前記ＡＲＰテーブルにエントリが登録された場合に当該エントリの更新を定期的に行う第３のステップとを有することを特徴とするＡＲＰ自動解決方法。
【請求項７】
前記ＭＰＬＳ網は、エッジ側に位置するルータであるＬＥＲ（Ｌａｂｅｌ  Ｅｄｇｅ  Ｒｏｕｔｅｒ）と網内側に位置するルータであるＬＳＲ（Ｌａｂｅｌ  Ｓｗｉｔｃｈ  Ｒｏｕｔｅｒ）とから構成され、
前記第１のステップから前記第３のステップを実行することで、ＩＰ通信が発生しないスタティックなＬＳＰを設定する場合においてネクストホップのＭＡＣアドレスを自動で解決し、前記ＭＰＬＳ網の入口ルータから出口ルータまでの経路を確立することを特徴とする請求項６記載のＡＲＰ自動解決方法。
【請求項８】
前記ＬＥＲに対して前記ネクストホップのＩＰアドレスとラベルとＦＥＣ（Ｆｏｒｗａｒｄｉｎｇ  Ｅｑｕｉｖａｌｅｎｃｅ  Ｃｌａｓｓ）とからなるＦＴＮ（ＦＥＣ  ｔｏ  Ｎｅｘｔ−Ｈｏｐ）エントリを追加するためのコマンドを投入し、前記ＬＳＲに対して前記ネクストホップのＩＰアドレスと前記ラベルとからなるＩＬＭ（Ｉｎｃｏｍｉｎｇ  Ｌａｂｅｌ  Ｍａｐ）エントリを追加するためのコマンドを投入して前記ＬＳＰを設定することを特徴とする請求項７記載のＡＲＰ自動解決方法。
【請求項９】
前記ＦＴＮエントリの削除コマンド及びＩＬＭエントリの削除コマンドを投入して前記ネクストホップのＩＰアドレスが削除された時を契機に前記ＡＲＰテーブルから該当するエントリを削除することを特徴とする請求項７または請求項８記載のＡＲＰ自動解決方法。
【発明の詳細な説明】
【技術分野】
【０００１】
本発明はＭＰＬＳ装置、ＭＰＬＳ網及びそれに用いるＡＲＰ自動解決方法に関し、特にＭＰＬＳ（Ｍｕｌｔｉ  Ｐｒｏｔｏｃｏｌ  Ｌａｂｅｌ  Ｓｗｉｔｃｈｉｎｇ）網でＬＳＰ（Ｌａｂｅｌ  Ｓｗｉｔｃｈｅｄ  Ｐａｔｈ）を構成する方法に関する。
【背景技術】
【０００２】
ＭＰＬＳ網でＬＳＰを構成する方法には、スタティック（Ｓｔａｔｉｃ：静的）な経路を設定する方法と、ＬＤＰ（Ｌａｂｅｌ  Ｄｉｓｔｒｉｂｕｔｉｏｎ  Ｐｒｏｔｏｃｏｌ）のようなラベル配布プロトコルを用いてダイナミック（Ｄｙｎａｍｉｃ：動的）に経路を設定する方法との２つの方法がある（例えば、特許文献１参照）。
【０００３】
前者の方法は、保守者が各ルータに対して経路情報を手動で設定する方法である。後者の方法は、ラベルの配布ルールを各ルータに設定しておき、そのルールに従ってルータ間でラベルの配布が行われ、自動的に経路が構成される方法である。
【０００４】
ＬＤＰのようなラベル配布プロトコルを用いる場合は、ラベル配布時にＩＰ（Ｉｎｔｅｒｎｅｔ  Ｐｒｏｔｏｃｏｌ）通信が発生する。これにより、ネクストホップ（ｎｅｘｔｈｏｐ）のＭＡＣ（Ｍｅｄｉａ  Ａｃｃｅｓｓ  Ｃｏｎｔｒｏｌ）アドレスが不明な場合は、ＩＰ通信の前にＡＲＰパケットが送信され、通知されたＭＡＣアドレスが自動的に登録されるため、保守者がＭＡＣアドレスの設定を意識する必要はない。
【０００５】
スタティックな経路設定の場合は、ルータ間でＩＰ通信が発生せず、ネクストホップのＭＡＣアドレスが自動で解決されないため、保守者介在によるＡＲＰエントリの登録設定が必須となる。これにより、保守手順がより複雑になり、保守コスト増大の一因となっている。
【先行技術文献】
【特許文献】
【０００６】
【特許文献１】特開２００３−１３４１４８号公報
【発明の概要】
【発明が解決しようとする課題】
【０００７】
本発明に関連するＬＳＰを構成する方法では、保守者がスタティックにＬＳＰを設定する場合、ＬＳＰの設定に加えてネクストホップのＭＡＣアドレスを解決するために、Ｓｔａｔｉｃ  ＡＲＰ（Ａｄｄｒｅｓｓ  Ｒｅｓｏｌｕｔｉｏｎ  Ｐｒｏｔｏｃｏｌ）エントリを登録する必要がある。
【０００８】
そのため、
１）保守者は予め対向装置のネットワークインタフェースのＭＡＣアドレスを知っておく必要がある
２）ネクストホップのＩＰアドレス及びネットワークインタフェース（ＭＡＣアドレス）が変更になった場合の自装置のＡＲＰテーブルの再構築作業が必要となる
という課題が存在する。
【０００９】
このように、本発明に関連するＬＳＰを構成する方法では、対向装置側の環境変化が自装置側の設定にも影響を与えるため、保守作業の難易度及びコスト増大の一因となっている。
【００１０】
そこで、本発明の目的は上記の問題点を解消し、スタティックな経路設定によりＬＳＰを構成する方法において、ネクストホップのＭＡＣアドレスを自動解決する機能の実現による保守作業の軽減を図ることができるＭＰＬＳ装置、ＭＰＬＳ網及びそれに用いるＡＲＰ自動解決方法を提供することにある。
【課題を解決するための手段】
【００１１】
本発明によるＭＰＬＳ装置は、ＭＰＬＳ（Ｍｕｌｔｉ  Ｐｒｏｔｏｃｏｌ  Ｌａｂｅｌ  Ｓｗｉｔｃｈｉｎｇ）網においてスタティックなＬＳＰ（Ｌａｂｅｌ  Ｓｗｉｔｃｈｅｄ  Ｐａｔｈ）を設定可能なＭＰＬＳ装置であって、
ＩＰ（Ｉｎｔｅｒｎｅｔ  Ｐｒｏｔｏｃｏｌ）アドレスとＭＡＣ（Ｍｅｄｉａ  Ａｃｃｅｓｓ  Ｃｏｎｔｒｏｌ）アドレスとがエントリとして登録されるＡＲＰ（Ａｄｄｒｅｓｓ  Ｒｅｓｏｌｕｔｉｏｎ  Ｐｒｏｔｏｃｏｌ）テーブルと、
自装置のＩＰアドレスとネクストホップのＩＰアドレスとが設定された時を契機に前記ＡＲＰテーブルを参照してネクストホップのＩＰアドレスに対応するエントリの有無を検出する検出手段と、
前記ネクストホップのＩＰアドレスに対応するエントリがない場合にＡＲＰパケットを送信してネクストホップのＭＡＣアドレスを取得する取得手段と、
前記ＡＲＰテーブルにエントリが登録された場合に当該エントリの更新を定期的に行う更新手段とを備えている。
【００１２】
本発明によるＭＰＬＳ網は、上記のＭＰＬＳ装置を含むことを特徴とする。
【００１３】
本発明によるＡＲＰ自動解決方法は、ＭＰＬＳ（Ｍｕｌｔｉ  Ｐｒｏｔｏｃｏｌ  Ｌａｂｅｌ  Ｓｗｉｔｃｈｉｎｇ）網においてスタティックなＬＳＰ（Ｌａｂｅｌ  Ｓｗｉｔｃｈｅｄ  Ｐａｔｈ）を設定可能なＭＰＬＳ装置に用いるＡＲＰ（Ａｄｄｒｅｓｓ  Ｒｅｓｏｌｕｔｉｏｎ  Ｐｒｏｔｏｃｏｌ）自動解決方法であって、
前記ＭＰＬＳ装置に、ＩＰ（Ｉｎｔｅｒｎｅｔ  Ｐｒｏｔｏｃｏｌ）アドレスとＭＡＣ（Ｍｅｄｉａ  Ａｃｃｅｓｓ  Ｃｏｎｔｒｏｌ）アドレスとがエントリとして登録されるＡＲＰテーブルを設け、
前記ＭＰＬＳ装置のＩＰアドレスとネクストホップのＩＰアドレスとが設定された時を契機に前記ＡＲＰテーブルを参照してネクストホップのＩＰアドレスに対応するエントリの有無を検出する第１のステップと、
前記ネクストホップのＩＰアドレスに対応するエントリがない場合にＡＲＰパケットを送信してネクストホップのＭＡＣアドレスを取得する第２のステップと、
前記ＡＲＰテーブルにエントリが登録された場合に当該エントリの更新を定期的に行う第３のステップとを備えている。
【発明の効果】
【００１４】
本発明は、上記のような構成及び動作とすることで、スタティックな経路設定によりＬＳＰを構成する方法において、ネクストホップのＭＡＣアドレスを自動解決する機能の実現による保守作業の軽減を図ることができるという効果が得られる。
【図面の簡単な説明】
【００１５】
【図１】本発明の実施の形態によるＭＰＬＳルータの構成例を示すブロック図である。
【図２】本発明の実施の形態によるＭＰＬＳ網の構成例を示すブロック図である。
【図３】本発明の実施の形態によるＭＰＬＳルータの動作例を示すシーケンスチャートである。
【図４】本発明の実施の形態によるＭＰＬＳルータの動作例を示すシーケンスチャートである。
【発明を実施するための形態】
【００１６】
次に、本発明の実施の形態について図面を参照して説明する。まず、本発明によるＭＰＬＳ（Ｍｕｌｔｉ  Ｐｒｏｔｏｃｏｌ  Ｌａｂｅｌ  Ｓｗｉｔｃｈｉｎｇ）装置の概略について説明する。本発明によるＭＰＬＳ装置は、ＭＰＬＳ機能を持ったルータであり、ＭＰＬＳ網は、このルータで構成されている。
【００１７】
本発明は、このＭＰＬＳ網において、スタティック（Ｓｔａｔｉｃ：静的）なＬＳＰ（Ｌａｂｅｌ  Ｓｗｉｔｃｈｅｄ  Ｐａｔｈ）を設定することにより、ＩＰ（Ｉｎｔｅｒｎｅｔ  Ｐｒｏｔｏｃｏｌ）通信が発生しない状況下でも、ネクストホップ（ｎｅｘｔｈｏｐ）のＭＡＣ（Ｍｅｄｉａ  Ａｃｃｅｓｓ  Ｃｏｎｔｒｏｌ）アドレスを自動で解決し、ＭＰＬＳ網の入口ルータから出口ルータまでの経路を確立できることを特徴としている。
【００１８】
本発明によるＭＰＬＳ装置は、自装置のＩＰアドレスとネクストホップのＩＰアドレスとが設定された時を契機に、ＡＲＰ（Ａｄｄｒｅｓｓ  Ｒｅｓｏｌｕｔｉｏｎ  Ｐｒｏｔｏｃｏｌ）テーブルを参照してネクストホップのＩＰアドレスに対応するエントリがなければ、ＡＲＰパケットを送信してネクストホップのＭＡＣアドレスを取得する。ＡＲＰテーブルに対しては、一度、ＡＲＰエントリが登録されると、定期的にＡＲＰ更新が行われる。
【００１９】
これにより、ネクストホップが指定されていてもＡＲＰテーブルに存在しない場合には、ＡＲＰ解決されないし、物理的にノードが追加された場合には、ＡＲＰエントリがＡＲＰテーブルに登録される。
【００２０】
ＡＲＰエントリの削除は、ＦＴＮ［ＦＥＣ（Ｆｏｒｗａｒｄｉｎｇ  Ｅｑｕｉｖａｌｅｎｃｅ  Ｃｌａｓｓ）  ｔｏ  Ｎｅｘｔ−Ｈｏｐ］エントリまたはＩＬＭ（Ｉｎｃｏｍｉｎｇ  Ｌａｂｅｌ  Ｍａｐ）エントリの削除コマンドを投入した時に実施される。削除コマンドを投入してネクストホップのＩＰアドレスが削除された時を契機に、ＡＲＰテーブルから該当するＡＲＰエントリを削除する。
【００２１】
本発明では、本機能により、対向ノードがなくなった場合に不必要なＡＲＰエントリが削除され、対向ノードが変更になり、ＭＡＣアドレスが変更になった場合にも自動でＡＲＰ解決をすることができる。また、定期的な自動更新時間は、コンフィグにより環境に応じて変更することができる。
【００２２】
このように、本発明は、ＦＴＮエントリまたはＩＬＭエントリのコマンドによる設定時に、ネクストホップのＭＡＣアドレスを自動で解決することを特徴とする。これにより、本発明は、ＩＰ通信が発生しないＳｔａｔｉｃ  ＬＳＰを設定する場合においても、保守者がコマンド設定によりＡＲＰ解決を実施しなくても、ＭＰＬＳによる通信が可能となる。
【００２３】
図１は本発明の実施の形態によるＭＰＬＳルータの構成例を示すブロック図である。図１において、ＭＰＬＳルータ１は、コマンド処理部１１と、ＭＰＬＳ処理部１２と、ＡＲＰ自動解決処理部１３と、ＴＣＰ（Ｔｒａｎｓｍｉｓｓｉｏｎ  Ｃｏｎｔｒｏｌ  Ｐｒｏｔｏｃｏｌ）／ＩＰプロトコルスタック１４と、ＡＲＰテーブル１５と、フォワーディングテーブル１６とから構成されている。
【００２４】
ＡＲＰテーブル１５には、少なくともＩＰアドレスと、そのＩＰアドレスのＭＡＣアドレス（ＡＲＰパケットを送信して取得したネクストホップのＭＡＣアドレス）とがエントリ（ＡＲＰエントリ）として登録されている。フォワーディングテーブル１６には、入力されたパケットを、ルーティングによって選ばれた出力インタフェースに出力するためのフォワーディング情報がエントリとして登録されている。
【００２５】
ＡＲ自動解決処理部１３は、ＡＲＰテーブル１５を参照し、必要であればエントリの追加／削除を行う。ＭＰＬＳ処理部１２は、フォワーディングテーブル１６を参照し、必要であればエントリの追加／削除を行う。
【００２６】
図２は本発明の実施の形態によるＭＰＬＳ網の構成例を示すブロック図である。図２において、ＭＰＬＳ網１００は、エッジ側に位置するルータであるＬＥＲ（Ｌａｂｅｌ  Ｅｄｇｅ  Ｒｏｕｔｅｒ）３，６と、ＭＰＬＳ網１００の内側に位置するルータであるＬＳＲ（Ｌａｂｅｌ  Ｓｗｉｔｃｈ  Ｒｏｕｔｅｒ）４，５とから構成されている。
【００２７】
また、ＬＥＲ３とＬＥＲ６との間でスタティックにＬＳＰを設定するためには、ＬＥＲ３，６とＬＳＲ４，５とに対してＭＰＬＳでラベルをフォワーディングするためのルールを定義しておく必要がある。
【００２８】
ＬＥＲ３，６に設定されるルールは、ＦＴＮエントリと呼ばれ、ネクストホップのＩＰアドレスとラベルとＦＥＣとで構成される。ＦＥＣとは、ＭＰＬＳ網１００内において同じあて先、または同じ扱いをさせたいパケットの集まりで、あて先ノードのＩＰアドレスが１つのＦＥＣになる。
【００２９】
ＬＳＲ４，５に設定されるルールは、ＩＬＭエントリと呼ばれ、ネクストホップのＩＰアドレスとラベルとで構成される。
【００３０】
保守者は、ＬＳＰを設定するために、保守端末（図示せず）からＬＥＲ３、ＬＥＲ６に対してＦＴＮエントリを追加するためのコマンドを投入し、ＬＳＲ４、ＬＳＲ５に対しては、ＩＬＭエントリを追加するためのコマンドを投入する。
【００３１】
コマンド投入時は、パラメータとしてネクストホップのＩＰアドレスとラベルとあて先ＩＰアドレスとを指定する。
【００３２】
ＬＥＲ３のＦＴＮエントリには、ネクストホップとしてネットワークインタフェース４１が追加され、ＬＳＲ４のＩＬＭエントリには、ネクストホップとしてネットワークインタフェース３２，５１が追加される。
【００３３】
同様に、ＬＳＲ５のＩＬＭエントリには、ネクストホップとしてネットワークインタフェース４２，６１が追加され、ＬＥＲ６のＦＴＮエントリには、ネクストホップとしてネットワークインタフェース５２が追加される。
【００３４】
ＭＰＬＳパケットをＥｔｈｅｒｎｅｔ（登録商標）フレームにカプセル化して送信する場合は、ネクストホップのＭＡＣアドレスも知っておく必要がある。
【００３５】
そこで、自装置のＩＰアドレスとネクストホップのＩＰアドレスとが設定された時を契機に、ＡＲＰテーブルを参照してネクストホップのＩＰアドレスに対応するエントリがなければ、ＡＲＰパケットを送信してネクストホップのＭＡＣアドレスを取得する。一度、ＡＲＰテーブルにＡＲＰエントリが登録されると、定期的にＡＲＰ更新が行われる。
【００３６】
これにより、ネクストホップが指定されていても、それが存在しない場合には、ＡＲＰ解決されないし、物理的にノードが追加された場合にはＡＲＰエントリが登録される。ＡＲＰエントリの削除は、ＦＴＮエントリまたはＩＬＭエントリの削除コマンドを投入した時に実施される。削除コマンドを投入してネクストホップのＩＰアドレスが削除された時を契機に、ＡＲＰテーブルから該当するＡＲＰエントリを削除する。
【００３７】
本実施の形態では、本機能により、対向ノードがなくなった場合に不必要なＡＲＰエントリが削除され、対向ノードが変更になり、ＭＡＣアドレスが変更になった場合にも自動でＡＲＰ解決をすることができる。また、定期的な自動更新時間は、コンフィグにより環境に応じて変更することができる。
【００３８】
このようにして、本実施の形態では、ＦＴＮエントリまたはＩＬＭエントリのコマンドによる設定時に、ネクストホップのＭＡＣアドレスを自動で解決することを特徴とする。これにより、本実施の形態では、ＩＰ通信が発生しないＳｔａｔｉｃ  ＬＳＰを設定する場合においても、保守者がコマンド設定によりＡＲＰ解決を実施しなくても、ＭＰＬＳによる通信が可能となる。
【００３９】
図３及び図４は本発明の実施の形態によるＭＰＬＳルータの動作例を示すシーケンスチャートである。図３は保守者がＦＴＮエントリまたはＩＬＭエントリを追加する時の動作を示し、図４は保守者がＦＴＮエントリまたはＩＬＭエントリを削除する時の動作を示している。
【００４０】
まず、図１と図３とを参照しながら保守者がＦＴＮエントリまたはＩＬＭエントリを追加する時の動作について説明する。
【００４１】
コマンド処理部１１は、保守者１０からコマンド入力を受け付けると（図３のＡ１）、ＡＲＰ自動解決処理部１３にネクストホップのＩＰアドレスを渡す（図３のＡ２）。
【００４２】
ＡＲＰ自動解決処理部１３は、ＡＲＰテーブル１５を参照し（図３のＡ３）、ネクストホップのＩＰアドレスに対応するエントリがなければ、ＴＣＰ／ＩＰプロトコルスタック１４経由でＡＲＰパケットを送信する（図３のＡ４，Ａ５）。
【００４３】
ＡＲＰ自動解決処理部１３は、ネクストホップのルータ２からＭＡＣアドレスを受信すると（図３のＡ６）、ＡＲＰテーブル１５にエントリを追加する（図３のＡ７〜Ａ９）。
【００４４】
その後、コマンド処理部１１は、ネクストホップのＩＰアドレスとラベルとあて先ＩＰアドレスとをＭＰＬＳ処理部１２に渡す（図３のＡ１０）。ＭＰＬＳ処理部１２は、あて先ＩＰアドレスに対するパケットに、指定されたラベルを付けてネクストホップのルータ２に送信するように、フォワーディングテーブル１６に新しいエントリを追加する（図３のＡ１１，Ａ１２）。
【００４５】
次に、図１と図４とを参照しながら保守者がＦＴＮエントリまたはＩＬＭエントリを削除する時の動作について説明する。
【００４６】
コマンド処理部１１は、保守者１０からコマンド入力を受け付けると（図４のＢ１）、ＭＰＬＳ処理部１２にネクストホップのＩＰアドレスとラベルとあて先ＩＰアドレスとを渡す（図４のＢ２）。
【００４７】
ＭＰＬＳ処理部１２は、渡されたパラメータに該当するエントリをフォワーディングテーブル１６から削除し（図４のＢ３）、エントリの削除完了をコマンド処理部１１に通知する（図４のＢ４）。
【００４８】
コマンド処理部１１は、フォワーディングテーブル１６からエントリが削除されると、ＡＲＰ自動解決処理部１３にネクストホップのＩＰアドレスを渡す（図４のＢ５）。ＡＲＰ自動解決処理部１３は、ネクストホップのＩＰアドレスに該当するエントリをＡＲＰテーブル１５から削除する（図４のＢ６，Ｂ７）。
【００４９】
ＡＲＰテーブル１５にエントリが追加された後は、ＡＲＰ自動解決処理部１３が定期的にＡＲＰパケットを送信する。そのため、ネクストホップのＩＰアドレスは変更されず、ネットワークインタフェースが交換された場合でも、自装置側のＡＲＰテーブル１５は自動的に更新される。
【００５０】
このように、本実施の形態では、ＭＰＬＳ網１００でスタティックなＬＳＰを構成するため、ＩＰ通信の必要がない場合でも、ネクストホップのＭＡＣアドレスを自動的に解決することで、保守者がＡＲＰテーブル１５の設定をする必要がないという効果が得られる。
【００５１】
また、本実施の形態では、フォワーディングテーブル１６に追加するネクストホップのみ、ＡＲＰテーブル１５に追加され、フォワーディングテーブル１６から削除するネクストホップのＭＡＣアドレスはＡＲＰテーブル１５からも削除されるので、不要なＡＲＰエントリを保持することがなくなるという効果が得られる。
【００５２】
さらに、本実施の形態では、ネクストホップのＡＲＰ更新を定期的に実施するので、対向装置のネットワークインタフェース（ＭＡＣアドレス）が変更になった場合に、保守者が介在しなくても、自装置のＡＲＰテーブル１５を自動で更新できるという効果が得られる。
【００５３】
したがって、本実施の形態では、スタティックな経路設定によりＬＳＰを構成する方法において、ネクストホップのＭＡＣアドレスを自動解決する機能の実現による保守作業の軽減を図ることができる。
【符号の説明】
【００５４】
１  ＭＰＬＳルータ
２  ネクストホップのルータ
３，６  ＬＥＲ
４，５  ＬＳＲ
１１  コマンド処理部
１２  ＭＰＬＳ処理部
１３  ＡＲＰ自動解決処理部
１４  ＴＣＰ／ＩＰプロトコルスタック
１５  ＡＲＰテーブル
１６  フォワーディングテーブル
３１，３２，４１，４２，
５１，５２，６１，６２  ネットワークインタフェース
１００  ＭＰＬＳ網
【図１】
2011082772.tif 000003
【図２】
2011082772.tif 000004
【図３】
2011082772.tif 000005
【図４】
2011082772.tif 000006